(57)【要約】【課題】  伸縮パイプの長さを簡単に制御し、使用上の不都合な点を減少できる伸縮パイプの制御装置を提供する。【解決手段】  伸縮パイプはパイプセット３０と固定ユニット４０とを有し、制御装置は回転つまみ１０とパイプカバー２０とを有する。回転つまみ１０は、パイプセット３０の端部に装着され、固定ユニット４０を回転させてパイプセット３０の長さを制御可能である。パイプカバー２０は、回転つまみ１０に装着され、かつパイプセット３０の外周に被せられ、パイプセット３０に対して回転つまみ１０を回転させることが可能である。それによって、伸縮パイプの制御装置は、パイプカバー２０により回転つまみ１０を回転させることで伸縮パイプの長さを簡単に制御し、使用上の不都合な点を減少させる目的を達成できる。【選択図】    図１
0003111975.tif 000002
【実用新案登録請求の範囲】
【請求項１】
伸縮パイプは、パイプセットと固定ユニットとを有し、
パイプセットの端部に装着され、固定ユニットを回転させてパイプセットの長さを制御可能である回転つまみと、
回転つまみに装着され、パイプセットの外周に被せられ、パイプセットに対して回転つまみを回転可能であるパイプカバーと、
を有することを特徴とする伸縮パイプの制御装置。
【請求項２】
回転つまみは、係合溝を少なくとも一つ有し、パイプカバーは内壁に係合部を少なくとも一つ有し、パイプカバーはパイプセットの端部と回転つまみに被せられ、係合部と係合溝とを嵌め合わせることを特徴とする請求項１に記載の伸縮パイプの制御装置。
【請求項３】
パイプカバーは、外周面に若干の滑り止め部を有することを特徴とする請求項１に記載の伸縮パイプの制御装置。
【請求項４】
パイプカバーがパイプセットに装着されている場合、パイプカバーの断面は非円形を呈することを特徴とする請求項１に記載の伸縮パイプの制御装置。
【請求項５】
パイプカバーは、ねじれ性の材質から製作され、パイプカバーがパイプセットに装着されている場合、パイプカバーの断面の形状はパイプセットの断面の形状とほぼ同じであることを特徴とする請求項１に記載の伸縮パイプの制御装置。
【請求項６】
パイプカバーは、ポリアミド樹脂から形成されることを特徴とする請求項５に記載の伸縮パイプの制御装置。
【請求項７】
回転つまみは、嵌合部を有し、嵌合部はフック部を有し、フック部はパイプセットに設けられ、パイプカバーは嵌合部とパイプセットの外周に装着されることを特徴とする請求項１に記載の伸縮パイプの制御装置。
【考案の詳細な説明】
【技術分野】
【０００１】
本考案は、伸縮パイプに関し、詳しく言えば、伸縮パイプの制御装置に関するものである。
【背景技術】
【０００２】
一般の伸縮パイプが装着されているハンディ工具は、伸縮パイプにより長さを調整する特性を有するため、必要に応じて作業の範囲を変えることが可能である。一般の伸縮パイプは、パイプセット、固定装置及び回転つまみを備える。パイプセットは互いに嵌まり合う内管と外管とを有し、固定装置はパイプセット内に装着され、内管と外管の相対的な位置を制御し、回転つまみはパイプセットの底端に装着され、固定装置を回転可能であるため、ユーザーはパイプセットに対して回転つまみを回すと同時に回転つまみにより固定装置を回転させることで伸縮パイプ全体の長さを制御することが可能である。
【０００３】
しかし、上述の回転つまみはパイプセットの底端に位置付けられるため、ユーザーはパイプセットの長さを変える時、手をパイプセットの底端に置かないと、回転つまみを回すことができない。この操作方法は、ユーザーが伸縮パイプをしっかり掴むことができず、使用上の不都合が生じるという欠点があるだけではなく、伸縮パイプをしっかり掴まずにハンディ工具を落とし、その結果、怪我をする恐れがある。
【考案の開示】
【考案が解決しようとする課題】
【０００４】
本考案の主な目的は、伸縮パイプの長さを簡単に制御し、使用上の不都合な点を減少させることが可能である伸縮パイプの制御装置を提供することにある。
【課題を解決するための手段】
【０００５】
上述の目的を達成するために、本考案による伸縮パイプの制御装置では、伸縮パイプはパイプセットと固定ユニットとを有し、制御装置は回転つまみとパイプカバーとを有する。回転つまみはパイプセットの端部に装着され、固定ユニットを回転させてパイプセットの長さを制御可能であり、パイプカバーは回転つまみに装着され、かつパイプセットの外周に被せられ、そして、パイプセットに対して回転つまみを回転させることが可能である。それによって、本考案は、パイプカバーにより回転つまみを回転させることで伸縮パイプの長さを簡単に制御し、使用上の不都合な点を減少させる目的を達成することが可能である。
【考案を実施するための最良の形態】
【０００６】
以下、実施例と図面に基づいて本考案を詳しく説明する。まず図面の説明は下記の通りである。
図１は、本考案の一実施例による伸縮パイプの制御装置を示す分解斜視図である。
図２は、本考案の一実施例による伸縮パイプの制御装置を示す側面図である。
【０００７】
図３は、図２を３−３線で切断した断面図である。
図４は、本考案の一実施例による伸縮パイプの制御装置を示す側面図である。
図５は、図４とほぼ同じで、パイプカバーにより回転つまみを回転させる状態を示す側面図である。
【０００８】
図１と図２に示すように、本考案の一実施例による伸縮パイプの制御装置では、伸縮パイプはパイプセット３０と固定装置４０とを有し、制御装置は回転つまみ１０とパイプカバー２０とを有する。
【０００９】
パイプセット３０は、断面が楕円形を呈する内管３１と外管３２とを有する。固定装置４０は、内管３１の一端に装着される。外管３２は内管３１に装着されるため、固定装置４０は外管３２の内壁に密接したり、それと分離したりすることで内管３１と外管３２の相対的な位置を変えると同時にパイプセット３０全体の長さを変えることが可能である。また、外管３２は底端に固定座３３を有し、固定座３３は底部に外管３２と繋がる穿孔３４と二つの底面から凹んでいる窪み部３５とを有する。
【００１０】
回転つまみ１０は嵌合部１１を有し、嵌合部１１は最上側にフック部１２を有し、フック部１２の断面の形状は穿孔３４の断面の形状に対応する。嵌合部１１は外周面から凹んでいる細長い係合溝１３を四つ有し、係合溝１３は嵌合部１１の最上部に沿って底部へ一定の距離で延びる。フック部１２は外管３２の固定座３３の穿孔３４を貫通するため、回転つまみ１０は固定座に固定され、かつ固定座３３に対して回転することが可能である。また、回転つまみ１０は連結棒４２により固定装置４０を動かすため、固定装置４０を外管３２の内壁に密接させたり、それから分離させたりすることが可能である。また、回転つまみ１０は、固定ユニット１５を有する。回転つまみ１０が回転する時、固定ユニット１５は固定座３３の一つの窪み部３５に達し、回転つまみ１０を固定座３３に固定する。
【００１１】
パイプカバー２０は、ねじれ性の材質から製作され、本実施例では例えばナイロン（Nylon：登録商標）などのポリアミド樹脂から製作される。パイプカバー２０は外周面に若干の滑り止め部２２を有し、パイプカバー２０の内壁には軸方向に沿って延びる係合部２４を四つ有する。図２と図３に示すように、パイプカバー２０は外管３２の固定座３３と回転つまみ１０の嵌合部１１に装着され、パイプカバー２０の断面の形状は固定座３３の断面の形状とほぼ同じである。かつパイプカバー２０は固定座３３の内壁に対応するように固定座３３に密接し、係合部２４は嵌合部１１の係合溝１３に嵌合する。固定座３３に対してパイプカバー２０を回転させる場合、係合部２４により回転つまみ１０を回転させることが可能である。
【００１２】
上述の構造により、伸縮パイプのパイプセット３０がハンディ工具に装着されている場合、図４に示すように、ユーザーは手で直接パイプカバー２０を握れば、ハンディ工具を操作及び制御することが可能である。かつパイプカバー２０の材質の特性と滑り止め部２２の構造により、操作上の利便性と摩擦力を増加させることが可能である。図５に示すように、ユーザーはパイプセット３０の長さを変えようとする場合、直接腕の力でパイプカバー２０を回し、かつパイプカバー２０を固定座３３に対するように回転させると同時に回転つまみ１０を回転させれば、回転つまみ１０により固定装置４０を動かして、パイプセット３０の長さを制御することが可能である。また、パイプセット３０の長さと所要の長さが一致している場合、ユーザーはパイプカバー２０と回転つまみ１０を戻すと、パイプセット３０の長さの変更作業が完了する。
【００１３】
それにより、本実施例は、パイプカバーにより回転つまみを回転させる構造によるものであるため、ユーザーは伸縮パイプをしっかり握ると同時に伸縮パイプの長さを簡単に制御し、使用上の不都合な点を減少させることが可能である。
【図面の簡単な説明】
【００１４】
【図１】本考案の一実施例による伸縮パイプの制御装置を示す分解斜視図である。
【図２】本考案の一実施例による伸縮パイプの制御装置を示す側面図である。
【図３】図２を３−３線で切断した断面図である。
【図４】本考案の一実施例による伸縮パイプの制御装置を示す側面図である。
【図５】本考案の一実施例による伸縮パイプの制御装置のパイプカバーにより回転つまみを回転させる状態を示す側面図である。
【符号の説明】
【００１５】
１０  回転つまみ、１１  嵌合部、１２  フック部、１３  係合溝、１５  固定ユニット、２０  パイプカバー、２２  滑り止め部、２４  係合部、３０  パイプセット、３１  内管、３２  外管、３３  固定座、３４  穿孔、３５  窪み部、４０  固定装置、４２  連結棒
【図１】
0003111975.tif 000003
【図２】
0003111975.tif 000004
【図３】
0003111975.tif 000005
【図４】
0003111975.tif 000006
【図５】
0003111975.tif 000007